(57)【要約】【課題】  複雑な機構を設けずとも、円滑なストーブの着火が可能で、着火後は、燃焼室での燃焼に伴う燃え滓等から影響を受けない、ストーブ用着火装置を提供する。【解決手段】  ストーブ用着火装置２１は、  ヒータ収納部２２と、  ヒータ収納部２２上部に開閉自在に設けられるヒータ収納部開閉蓋２３と、  ヒータ収納部内２２に設置され着火剤Ｂを載置されるヒータ２４とを有する。  更に、燃料Ａを収納して燃料Ａを燃焼させる燃焼室１２と、燃焼室１２の下部に格子状に設けられ燃料Ａを積載される燃焼室下面１３と、燃焼室下面１３下部に設けられる灰受け部１４とを有するストーブ１１の、灰受け部１４内に取外し可能に設置される。  ヒータ２４の着火時間は、制御手段３１により制御される。【選択図】図１
2015148385.tif 000002
【特許請求の範囲】
【請求項１】
ヒータ収納部と、
ヒータ収納部上部に開閉自在に設けられるヒータ収納部開閉蓋と、
ヒータ収納部内に設置され着火剤を載置されるヒータとからなる着火部を有し、
燃料を収納して燃料を燃焼させる燃焼室と、燃焼室の下部に設けられ燃料を積載されるとともに灰を落下させる燃焼室下面と、燃焼室下面下部に設けられる灰受け部とを有するストーブの、灰受け部内に取外し可能に設置される、
ストーブ用着火装置。
【請求項２】
ヒータの着火時間は、制御手段により制御される請求項１記載のストーブ用着火装置。
【発明の詳細な説明】
【技術分野】
【０００１】
本発明は、ストーブ用着火装置及に係る。
【背景技術】
【０００２】
従来、木材あるいは木炭あるいは木質ペレット及び木質固形燃料を燃料とするストーブ用着火装置あるいはストーブ用着火装置を備えたストーブとしては、特許文献１記載の「自動点火のユニット式木炭ストーブ」が知られている。
【０００３】
特許文献１記載の「自動点火のユニット式木炭ストーブ」は、「自動点火装置は点火物の容器、プラグ、アーム並びに電源コンセントを有する。基体に、・・・自動点火装置を固定し、底面に灰受け皿を装着する。」、「基体内部に置いた金属台の上の木炭に着火させるため、タイマー付き自動点火装置を配置」され、「基体内に置かれた台に木炭を置き、空気の供給口を開いてタイマー付き自動点火装置のコンセントに電源を入れ、タイマーの点火開始と終了時刻を設定する。開始時刻になると点火装置のアームの先端が木炭の下に移動し、アームの先にある容器内に予め入れてある点火しやすい液体又は固体に点火プラグの火が移り、該液体又は固体は燃焼を続け木炭に着火する。タイマー終了時刻にはアームは元の位置に戻る。」とされる。
【先行技術文献】
【特許文献】
【０００４】
【特許文献１】実用新案登録第３０４８６９１号公報
【発明の概要】
【発明が解決しようとする課題】
【０００５】
着火装置は燃焼室内の燃料に着火させる必要があるが、着火後は、燃焼室での燃焼に伴う燃え滓等から影響を受けないようにする必要がある課題を有した。
特許文献１記載発明では、「開始時刻になると点火装置のアームの先端が木炭の下に移動」する、「タイマー終了時刻にはアームは元の位置に戻る。」ものであるが、その目的、具体的な構成作用の開示は無い。
【０００６】
本発明の目的は、「開始時刻になると点火装置のアームの先端が木炭の下に移動」するような複雑な機構を設けずとも、円滑なストーブの着火が可能で、着火後は、燃焼室での燃焼に伴う燃え滓等から影響を受けない、ストーブ用着火装置及を提供することにある。
【課題を解決するための手段】
【０００７】
本発明に係るストーブ用着火装置は、
ヒータ収納部と、
ヒータ収納部上部に開閉自在に設けられるヒータ収納部開閉蓋と、
ヒータ収納部内に設置され着火剤を載置されるヒータとからなる着火部を有し、
燃料を収納して燃料を燃焼させる燃焼室と、燃焼室の下部に設けられ燃料を積載されるとともに灰を落下させる燃焼室下面と、燃焼室下面下部に設けられる灰受け部とを有するストーブの、灰受け部内に取外し可能に設置される。
【０００８】
あるいは、更に、本発明に係るストーブ用着火装置は、
ヒータの着火時間は、制御手段により制御される。
【発明の効果】
【０００９】
複雑な機構を設けずとも、円滑なストーブの着火が可能な、ストーブ用着火装置を提供する。
【図面の簡単な説明】
【００１０】
【図１】この発明の実施の形態に係る実施例のストーブ正面図である。
【図２】この発明の実施の形態に係る実施例のストーブ灰受け部の開口状態の斜視図である。
【図３】この発明の実施の形態に係る実施例のストーブ用着火装置の一部拡大斜視図である。
【図４】この発明の実施の形態に係る実施例のストーブ用着火装置の一部拡大斜視図である。
【図５】この発明の実施の形態に係る実施例の制御盤の一部拡大斜視図である。
【発明を実施するための形態】
【００１１】
１１は、ストーブである。ストーブ１１は、この実施例では、薪、木炭、木質ペレット及び木質固形燃料等の燃料を燃焼させるストーブからなる。
１２は、ストーブ１１の燃焼室である。燃焼室１２は、ストーブ１１の中央部に設ける。燃焼室１２には、燃料Ａを収納して燃料を燃焼させる。
【００１２】
１３は、燃焼室下面である。燃焼室下面１３は、燃焼室１２の下部に設けられる。燃焼室下面１３は、燃焼室１２の開口部から、奥側に向けて間隔を空けて並べられて隙間を設けられた複数本の金属製の棒状体１３Ａと、複数本の金属製棒状体１３Ａ下面に設けられ、燃焼室１２の開口部と平行に設けられ、棒状体１３Ａを支える複数本の金属製の支持棒１３Ｂとを組み合わせた格子状からなる。燃焼室仮面１３には、細い木からなる着火用木材、燃料を積載する。
複数本の金属製棒状体を設ける代わりにセラミックス製の棒状体を設け、あるいは金属製あるいはセラミックス製の板状体に切り込みを設け、灰落とし作用をさせてもよい。
【００１３】
１４は、灰受け部である。灰受け部１４は、燃焼室下面１３下部に設けられ、ストーブ１１から引出状に表面から引き出すことが可能である。灰受け部１４には、燃焼室１２内で燃焼した燃料の灰が、燃焼室下面１３から落下して蓄積する。蓄積した灰は、灰受け部１４をストーブ１１から引き出して取出し、廃棄する。
１５は、開閉扉であり、燃焼室１２の開口部を開閉する。
【００１４】
２１は、ストーブ用着火装置である。
２２は、ストーブ着火装置２１のヒータ収納部、２３はヒータ収納部開閉蓋である。ヒータ収納部２２は、上部が開口した箱状からなる。ヒータ収納部開閉蓋２３は、ヒータ収納部２２上部の開口部に開閉自在に設けられ、複数本の金属製棒状体２３Ａを平行に等間隔に設けられて隙間が設けてなる。
複数本の金属製棒状体２３Ａを設ける代わりにセラミックス製の棒状体を設け、あるいは金属製あるいはセラミックス製の板状体に切り込みを設けて灰落とし作用をさせてもよい。
ストーブ着火装置２１は、使用時には、ストーブ１１の灰受け部１４内に載置される。不使用時には、ストーブ着火装置２１は、ストーブ１１の灰受け部１４内から持ち出される。
【００１５】
金属製棒状体２３Ａの設置方向は、ストーブ１１燃焼室１２開口部と垂直方向すなわち開口部側から奥にかけてであり、燃焼室下面１３の棒状体１３Ａの設置方向とは交差する方向である。
２４は、ヒータである。ヒータ２４は、ヒータ収納部２２内の底部に、複数本並べられた着火剤支持棒２５と平行に設置される。ヒータ２４は、電熱ヒータからなり通電されることで加熱される。ヒータ２４には着火剤Ｂが載置される。
【００１６】
３１は、制御盤である。制御盤３１は、ストーブ１１に隣接して設置される。制御盤３１内部には、ヒータ２４の着火時間を制御する制御手段であるタイマー３２を設置する。タイマー３２とヒータ２４とは、ケーブル３３で接続される。ケーブル３３は電源に接続される。
４１は煙突であり、燃焼室１２上部に設けられる。
【００１７】
そこで、ヒータ２４に着火剤Ｂを載置する。他方、燃焼室１２の燃焼室下面１３上に、細い木を置き、其のうえに薪等燃料Ａを置く。
ついで、直ちに着火するときは、制御盤３１内の入出力スイッチにオン状態を取らせ、ヒータ２４に通電し、直ちに着火させる。通電後６０乃至７０秒後ヒータ２４は加熱され、ヒータ２４の加熱により、着火剤Ｂは、着火される。加熱は、例えば９０乃至１８０秒おこない、その後停止させる。
【００１８】
一定時間後に着火させたいときは、指定時間、指定曜日等を入力してタイマー３２をセットして、ヒータ２４への通電時間を決める。すると、タイマー３２のセット時間に通電され、通電後６０乃至７０秒後ヒータ２４は加熱され、ヒータ２４の加熱により、着火剤Ｂは、着火される。加熱は、３分以上でその後通電は止めるようセットする。
着火剤Ｂに着火された炎は、ヒータ収納部開閉蓋２３、金属製棒状体１３Ａの隙間から燃焼室１２内に入り、細い木に着火し、更に薪等の燃料Ａに着火する。
【００１９】
燃料Ａが燃焼すると、灰が生じる。灰は、金属製棒状体１３Ａの隙間から、燃焼室１２を出て、灰受け部１４に落下する。
灰以外の不燃焼物は、燃焼室下面１３の金属製棒状体１３Ａ、ヒータ収納部開閉蓋２３、により遮られ、灰受け部１４内の、ヒータ収納部２２内には入らない。特に金属製棒状体２３の設置方向は、ストーブ１１燃焼室１２開口部と垂直方向であり、燃焼室下面１３の棒状体１３Ａの設置方向とは交差する方向であるため、灰以外の不燃焼物は、よりヒータ収納部２２内には入りにくい。
着火後は、ストーブ用着火装置２１は、ストーブ１１から取り出してもよい。
この実施例では、灰受け部１４内に更にヒータ収納部２２を入れている。そのため、燃え滓等が、ヒータ収納部２２に入りにくい。
【００２０】
したがって、この実施例では、複雑な機構を設けずとも、円滑なストーブの着火が可能で、着火後は、燃焼室での燃焼に伴う燃え滓等から影響を受けない、ストーブ用着火装置及びストーブ用着火装置を備えたストーブを提供する。更に、使用前は灰が集積しないため使用されていない、灰受け部１４にストーブ着火装置２１を設置することで着火効果を有するとともに、作業効率を向上させる。
【符号の説明】
【００２１】
１１  ストーブ
１２  燃焼室
１３  燃焼室下面
１４  灰受け部
２１  ストーブ用着火装置
２２  ヒータ収納部
２３  ヒータ収納部開閉蓋
２３Ａ  金属製棒状体
２４  ヒータ
３１  制御盤
Ａ    燃料
Ｂ    着火剤
【図１】
2015148385.tif 000003
【図２】
2015148385.tif 000004
【図３】
2015148385.tif 000005
【図４】
2015148385.tif 000006
【図５】
2015148385.tif 000007